(57)【要約】【課題】風雨、冷害、害虫その他から植物を保護することができる植物栽培カバーの提供を目的とする。【解決手段】植物栽培カバー１のカバー本体２に形成された掘削突起３を土壌Ａに突き刺した後、植物栽培カバー１を水平回転させて土壌Ａを円形に掘削し、下端側の各抜止め片４…が土壌Ａ中に没するように埋め込む。防虫カバー９を拡張して植物栽培カバー１の上端側周面に装着した後、植物栽培カバー１の各係止片６…にゴム紐９ａが縫い付けられた防虫カバー９の外周縁部を係止して取り付ける。これにより、強風が吹きつけられても、土壌Ａに埋め込まれた植物栽培カバー１が吹き飛ばされる心配がなく、土壌Ａに植えられた植物Ｂを風雨から確実に保護することができる。また、植物Ｂの生育に適した通気性が得られるとともに、植物栽培カバー１の内部に害虫が侵入するのを防止することができる。【選択図】図７
2010004744.tif 000002
【特許請求の範囲】
【請求項１】
植物が植えられる土壌に対して埋め込み固定され、該植物の周囲が囲繞される大きさ及び形状に形成された植物栽培カバーであって、
前記植物栽培カバーを、
扇形状に展開された柔軟性を有する合成樹脂製のシートを筒状に丸めて該シートの両端部を互いに重ね合わせるとともに、該シートの両端部を重ね合わせたまま一体的に接合して下端側開口部から上端側開口部に向けて徐々に小径となる円錐筒状のカバー本体で構成し、
前記土壌より上方に突出されるカバー本体の上端側周面に、該カバー本体の上端側開口部が覆われる大きさ及び形状に形成され、柔軟性及び通気性を有する素材で形成された被覆カバーを装着し、
前記被覆カバーの外周縁部を、前記カバー本体の上端側周面の大きさ及び形状に応じて伸縮変位自在に設けた
植物栽培カバー。
【請求項２】
前記カバー本体の上端側周面に、前記被覆カバーの外周縁部が係止される係止片を形成し、
前記係止片を、前記カバー本体の上端側周面に沿って円周方向に対して所定間隔に隔てて複数配列した
請求項１に記載の植物栽培カバー。
【請求項３】
前記被覆カバーの外周縁部に、前記係止片に対する係止が許容される太さに形成されたゴム紐を装着した
請求項１に記載の植物栽培カバー。
【請求項４】
前記カバー本体の上端側周面と前記被覆カバーの外周縁部とを、該被覆カバーの装着状態を維持するのに必要な粘着力を有する粘着剤で着脱自在に固定した
請求項１に記載の植物栽培カバー。
【請求項５】
前記カバー本体の上端側周面と前記被覆カバーの外周縁部とを、該被覆カバーの装着状態を維持するのに必要な粘着力を有する粘着テープで着脱自在に固定した
請求項１に記載の植物栽培カバー。
【請求項６】
前記カバー本体の上端側周面と前記被覆カバーの外周縁部とを、該被覆カバーの装着状態を維持するのに必要な固定力を有する止め金で着脱自在に固定した
請求項１に記載の植物栽培カバー。
【請求項７】
前記カバー本体の上端側周面と前記被覆カバーの外周縁部とを、該被覆カバーの装着状態を維持するのに必要な固定力を有する止め部材で着脱自在に固定した
請求項１に記載の植物栽培カバー。
【請求項８】
前記土壌中に埋め込まれるカバー本体の下端側周面に、該土壌中に対して係止される角度及び方向に折曲げ自在な抜止め片を形成し、
前記抜止め片を、前記カバー本体の土壌中に埋め込まれる下端側周面に沿って円周方向に対して所定間隔に隔てて複数配列した
請求項１〜７のいずれか一つに記載の植物栽培カバー。
【請求項９】
前記カバー本体の土壌中に埋め込まれる下端側縁部に、該カバー本体の軸心を中心として前記土壌が円形に掘削される掘削突起を円周方向に連続して形成した
請求項１〜８のいずれか一つに記載の植物栽培カバー。
【請求項１０】
前記抜止め片より上方のカバー本体の側部周面に、該カバー本体の下端側を土壌中に埋め込む際に目安となる埋め込み線を形成した
請求項１〜９のいずれか一つに記載の植物栽培カバー。
【発明の詳細な説明】
【技術分野】
【０００１】
この発明は、例えばナス、トマト、キュウリ、白菜、カンラン、キャベツ、或いは、植木、花、樹木等の植物を栽培する際に用いられる植物栽培カバーに関する。
【背景技術】
【０００２】
従来、前記植物を栽培する際に用いられるカバーとしては、特許文献１の苗保護カバーがある。この保護カバーは、カバー本体の上部開口に合成樹脂製の蓋部材を嵌合して、苗等の植物の冷害、凍害を防止するものであるが、蓋部材を嵌合することによってカバー本体の上部が変形又は変位しにくくなるので、カバー本体の外面に対して風がもろに吹き付けられてしまうことになる。したがって、強風が吹きつけられた際、カバー本体が土壌から引き抜かれるだけでなく、風によって遠くへ吹き飛ばされてしまうため、植物を風雨から保護することができない。
【０００３】
また、栽培カバーを土壌中に埋め込む場合、例えば植物栽培カバーの下端部よりも大きな穴を掘り、植物栽培カバーの下端部を穴の中に入れて、植物栽培カバーの内部に土を入れながら、植物栽培カバーの外部にも土をかぶせて埋設した後、植物栽培カバーの上端側開口部から入れた植物を植え込む方法があるが、植物栽培カバーの下端部が入るような大きな穴を掘る作業に手間及び時間が掛かるだけでなく、植物栽培カバーの内部全体に土を入れなければならず、埋め込み作業が捗らないという欠点がある。
【特許文献１】実用新案登録第３０３１５２３号公報
【発明の開示】
【発明が解決しようとする課題】
【０００４】
この発明は前記問題に鑑み、風雨、冷害、害虫その他から植物を保護することができる植物栽培カバーの提供を目的とする。
【課題を解決するための手段】
【０００５】
この発明は、植物が植えられる土壌に対して埋め込み固定され、該植物の周囲が囲繞される大きさ及び形状に形成された植物栽培カバーであって、前記植物栽培カバーを、扇形状に展開された柔軟性を有する合成樹脂製のシートを筒状に丸めて該シートの両端部を互いに重ね合わせるとともに、該シートの両端部を重ね合わせたまま一体的に接合して下端側開口部から上端側開口部に向けて徐々に小径となる円錐筒状のカバー本体で構成し、前記土壌より上方に突出されるカバー本体の上端側周面に、該カバー本体の上端側開口部が覆われる大きさ及び形状に形成され、柔軟性及び通気性を有する素材で形成された被覆カバーを装着し、前記被覆カバーの外周縁部を、前記カバー本体の上端側周面の大きさ及び形状に応じて伸縮変位自在に設けた植物栽培カバーであることを特徴とする。
【０００６】
この発明の態様として、前記被覆カバーの外周縁部に、前記係止片に対する係止が許容される太さに形成されたゴム紐を装着することができる。
【０００７】
また、この発明の態様として、前記カバー本体の上端側周面に、前記被覆カバーの外周縁部が係止される係止片を形成し、前記係止片を、前記カバー本体の上端側周面に沿って円周方向に対して所定間隔に隔てて複数配列することができる。
【０００８】
また、この発明の態様として、前記カバー本体の上端側周面と前記被覆カバーの外周縁部とを、該被覆カバーの装着状態を維持するのに必要な粘着力を有する粘着剤で着脱自在に固定することができる。
【０００９】
また、この発明の態様として、前記カバー本体の上端側周面と前記被覆カバーの外周縁部とを、該被覆カバーの装着状態を維持するのに必要な粘着力を有する粘着テープで着脱自在に固定することができる。
【００１０】
また、この発明の態様として、前記カバー本体の上端側周面と前記被覆カバーの外周縁部とを、該被覆カバーの装着状態を維持するのに必要な固定力を有する止め金で着脱自在に固定することができる。
【００１１】
また、この発明の態様として、前記カバー本体の上端側周面と前記被覆カバーの外周縁部とを、該被覆カバーの装着状態を維持するのに必要な固定力を有する止め部材で着脱自在に固定することができる。
【００１２】
また、この発明の態様として、前記土壌中に埋め込まれるカバー本体の下端側周面に、該土壌中に対して係止される角度及び方向に折曲げ自在な抜止め片を形成し、前記抜止め片を、前記カバー本体の土壌中に埋め込まれる下端側周面に沿って円周方向に対して所定間隔に隔てて複数配列することができる。
【００１３】
また、この発明の態様として、前記カバー本体の土壌中に埋め込まれる下端側縁部に、該カバー本体の軸心を中心として前記土壌が円形に掘削される掘削突起を円周方向に連続して形成することができる。
【００１４】
また、この発明の態様として、前記抜止め片より上方のカバー本体の側部周面に、該カバー本体の下端側を土壌中に埋め込む際に目安となる埋め込み線を形成することができる。
【００１５】
前記カバー本体は、例えば塩化ビニル、ポリエステル、ポリエチレン、ポリプロピレン等の単体又は複合した合成樹脂製のシートで構成することができる。また、接合は、例えば接着剤による接着、加熱による熱溶着、超音波振動による超音波溶着等の接合方法で構成することができる。
【００１６】
掘削突起は、例えば側面から見て山部と谷部とを円周方向に対して交互に配置してなる滑らかな波状に形成することができる。また、土壌に対して突き刺しやすい形状であれば、例えば鋸歯状、櫛歯状等の鋭角形状に形成してもよい。
【００１７】
被覆カバーは、例えば不織布、ネット、或いは、多数の孔部が形成されたシート等の通気性を有する防虫カバーで構成することができる。なお、被覆カバーに、例えば木酢液を含む天然成分、或いは、化学成分を主成分とする害虫用の忌避剤を含浸又は塗布しておいてもよい。
【発明の効果】
【００１８】
この発明によれば、風雨、冷害、害虫その他から植物を保護し、植物が生育するのに適した環境を維持することができる。
【発明を実施するための最良の形態】
【００１９】
本発明の植物栽培カバー１は、図１〜図８に示すように、扇形状に打ち抜き加工された柔軟性を有する合成樹脂製のシートを筒状に丸めてカバー本体２を形成し、口径が大きい下端側開口部２ａから口径が小さい上端側開口部２ｂに向けて徐々に小径となる円錐筒状に組み立てたものである。また、カバー本体２の上端側周面には、通気性及び柔軟性を有する不織布等の素材で形成された防虫カバー９が着脱自在に装着される。
【００２０】
カバー本体２は、例えば塩化ビニル、ポリエステル、ポリエチレン、ポリプロピレン等の単体又は複合した透光性及び柔軟性を有する合成樹脂製のシートで形成することができるが、実施例では、約０．４ｍｍの肉厚ｔを有する透明又は半透明の塩化ビニル樹脂シート（ＰＶＣシート）で形成している。
【００２１】
また、植物Ｂの生育に適した採光量に調光する場合、カバー本体２の一部又は全体を、例えば黒色、灰色、銀色等の所望する色に着色するか、カバー本体２の一部又は全体に、例えば模様、図柄、文字等を描くか印刷してもよい。或いは、紫外線によって植物Ｂの生育が阻害されるような場合、カバー本体２の一部又は全体を、例えば半透明又は不透明の材質、紫外線遮断作用を有する材質等で形成すればよい。また、植物Ｂの品種によってカバー本体２の色を変更することもできる。
【００２２】
円錐筒状に組み立て完了時における植物栽培カバー１の各部寸法の一例を示すと次の通りである。植物栽培カバー１の上端側開口部２ｂの直径Ｄ１は、約３５０ｍｍπに設定し、下端側開口部２ａの直径Ｄ２は、約４５０ｍｍπに設定し、植物栽培カバー１の全高Ｈは、約５００ｍｍに設定している（図６参照）。
【００２３】
なお、上記Ｄ１，Ｄ２，Ｈの数値は、上記実施例の数値に限定されるものではなく、植物Ｂの種類や生育状況、或いは、その他の仕様に応じて所望の寸法に変更してもよい。例えば直径Ｄ１を、約３５０ｍｍπ以下又は約３５０ｍｍπ以上の数値に変更し、直径Ｄ２を、約４５０ｍｍπ以下又は約４５０ｍｍπ以上の数値に変更し、全高Ｈを、約５００ｍｍ以下又は約５００ｍｍπ以上の数値に変更する等してもよい。
【００２４】
前記植物栽培カバー１を円錐筒状に組み立てる場合、図１、図２に示すように、扇形状に展開された合成樹脂製のシートを上方から見て筒状となるように丸めて、該シートの一端側外周面と他端側内周面とを互いに重ね合わせる。このとき、シートの両端部を重ね合わせたまま図示しない接着剤により一体的に接着固定してカバー本体２に形成する。これにより、口径が大きい下端側開口部２ａから口径が小さい上端側開口部２ｂに向けて徐々に小径となる円錐筒状に組み立てる。なお、接着に代わる他の方法として、例えば熱溶着、超音波溶着等の接合方法で接合してもよい。
【００２５】
カバー本体２の土壌Ａ中に埋め込まれる下端側縁部には、図４参照のカバー本体２の軸心Ｃを中心として土壌Ａを掘削するための掘削突起３を円周方向に連続して形成している。掘削突起３は、側面から見て山部と谷部とを円周方向に対して交互に配置してなる滑らかな波状に形成している。なお、土壌Ａに対して突き刺しやすい形状であれば、例えば鋸歯状、櫛歯状等の鋭角形状に形成してもよい。
【００２６】
土壌Ａ中に埋め込まれるカバー本体２の下端側周面には、該カバー本体２の下端側周面に対して横長門形状の切り込みを入れて、土壌Ａ中に対して係止される角度及び方向に折曲げ自在な横長台形状の抜止め片４を形成している。
【００２７】
抜止め片４は、カバー本体２の土壌Ａ中に埋め込まれる下端側周面の同一円周上に形成され、該カバー本体２の円周方向に対して所定等間隔に隔てて複数配列されている。
【００２８】
カバー本体２の下端側周面に連設された抜止め片４の直線部分には、カバー本体２の内側又は外側に向けて突出される角度に対して該抜止め片４の折曲げが許容される折曲げ罫線Ｅを形成している。つまり、抜止め片４は、折曲げ罫線Ｅを中心として、カバー本体２の下端側外周面より外側に向けて突出される外向き姿勢と、カバー本体２の下端側内周面より内側に向けて突出される内向き姿勢とに折曲げ自在に設けられている。なお、各抜止め片４…を、植物栽培カバー１の下端側周面に沿って円周方向に対して上下互い違いに配列してもよい。
【００２９】
土壌Ａより上方に突出されるカバー本体２の上端側周面には、該カバー本体２の上端側周面に対して幅広部分が下向きとなるアリ溝形状の切り込みを入れて、カバー本体２の上端側開口部２ｂに装着された防虫カバー９の外周縁部が係止される角度及び方向に折曲げ自在なアリ溝形状の係止片６を形成している。
【００３０】
係止片６は、カバー本体２の防虫カバー９が装着される上端側周面の同一円周上に形成され、該カバー本体２の円周方向に対して所定等間隔に隔てて複数配列されている。
【００３１】
係止片６の切り込み寸法ａは、防虫カバー９の外周縁部の係止が許容される寸法に設定している（図６参照）。実施例では、防虫カバー９の外周縁部に沿って縫い付けられたゴム紐９ａの太さ程度に設定している。係止片６の切り込み寸法ａがゴム紐９ａの太さより大きいと、係止片６と防虫カバー９との隙間から病害虫が侵入しやすくなる。また、切り込み寸法ａがゴム紐９ａの太さより小さいと、係止片６から防虫カバー９の外周縁部が外れやすくなる。
【００３２】
カバー本体２の上端側周面に連設された係止片６の直線部分には、カバー本体２の外側に向けて突出される角度に該係止片６の折曲げが許容される折曲げ罫線Ｅを形成している。つまり、係止片６は、折曲げ罫線Ｅを中心として、カバー本体２の上端側外周面より外側に向けて突出され、カバー本体２の上端側周面に装着された防虫カバー９の外周縁部に対して係止される角度に折曲げ自在に設けられている。なお、折曲げ罫線Ｅは、図示しない罫線刃により長手方向から見て略Ｖ字状に形成されている。
【００３３】
抜止め片４より上方のカバー本体２の側部周面には、該カバー本体２の下端側を土壌Ａ中に埋め込む際に目安となる埋め込み線７を円周方向に連続して形成している（図１、図２参照）。
【００３４】
埋め込み線７は、土壌Ａ中に埋め込まれる植物栽培カバー１の下端側から上段側に向けて所定寸法だけ隔てられた上方位置（約１００ｍｍの位置）に付設されており、凸状又は凹状の線条をカバー本体２の側部周面に沿ってプレス成形している。つまり、植物栽培カバー１の下端側を埋め込み線７の位置まで土壌Ａ中に埋め込むことにより、所定の埋め込み寸法だけ正確に埋め込むことができる。
【００３５】
また、埋め込み線７をプレス成形する代わりに、例えば土壌Ａとの見分けが明確な色の塗料をカバー本体２の側部周面に沿って線状に印刷するか塗布する等してもよい。また、凸状又は凹状の埋め込み線７をプレス成形する方法と、印刷又は塗布する方法とを組み合わせてもよい。
【００３６】
防虫カバー９は、図３に示すように、通気性及び柔軟性を有する不織布等の素材でカバー本体２の上端側開口部２ｂが覆われる大きさ及び形状に形成されており、シート状の不織布を円形に切り取った後、その不織布の外周縁部に沿って伸縮性を有するゴム紐９ａを縫い付け、同図の（ａ）、（ｂ）に示すようなヘアーキャップ形状に仕上げている。これにより、カバー本体２の上端側周面の大きさ及び形状に応じて伸縮変位自在に設けている。なお、ゴム紐９ａを、円形を有する不織布の外周縁部に沿って接着等々してもよい。また、抄造時において、円形を有する不織布を抄造してもよい。
【００３７】
図示実施例は前記の如く構成するものにして、以下、植物栽培カバー１の埋め込み方法を説明する。
【００３８】
先ず、図４に示すように、植物栽培カバー１の各抜止め片４…を外側に向けて径方向に折り曲げ、該植物栽培カバー１の側部外周面より外側に突出した後、植物栽培カバー１の上端側外周面を手で保持して、植物栽培カバー１の上端側開口部２ｂが上向き、下端側開口部２ａが下向きとなる姿勢に保持する。
【００３９】
次に、図５に示すように、植物栽培カバー１の下端側に形成された掘削突起３の先端を、畑等の整地された土壌Ａの植え込み面に対して上方から垂直に突き刺した後、手で保持した植物栽培カバー１を、カバー本体２の軸心Ｃを中心として右方向又は左方向の一方向に向けて水平回転する。或いは、右方向及び左方向の両方向に向けて交互に正逆回転する等して、植物栽培カバー１の掘削突起３によって植物Ｂが植えられる箇所の土壌Ａをカバー本体２の軸心Ｃを中心として円形に掘削する。
【００４０】
植物Ｂが植えられる箇所の土壌Ａを掘削しながら、植物栽培カバー１の全体を、該植物栽培カバー１の下端側が土壌Ａ中に対して埋め込まれる方向へ押し込み下降させて、植物栽培カバー１の下端側を、植物Ｂが植えられる箇所の土壌Ａ中に対して所望する深さ埋め込む（図６参照）。これにより、植物栽培カバー１が埋め込まれる箇所の土壌Ａを掘削する掘削作業と、植物栽培カバー１を土壌Ａ中に対して所望する深さに埋め込む作業とが簡単且つ容易に行え、植物栽培カバー１を土壌Ａ中に対して確実に埋め込み固定することができる。また、スコップ等の掘削具を用いることなく、植物栽培カバー１を土壌Ａに対して埋め込み固定するので、植物栽培カバー１を埋め込み固定する際に要する作業及び手間が省け、作業性の向上を図ることができる。
【００４１】
また、図６に示すように、植物栽培カバー１の下端側を埋め込み線７が土壌Ａ中に隠れるか、該土壌Ａの表面と一致する深さに埋め込んだ後、埋め込み線７が隠れるように植物栽培カバー１の内側及び外側の土を補給し、植物栽培カバー１の外側の土を踏み固め、内側の土を手や棒等で適度に固める。これにより、植物栽培カバー１を、埋め込み線７より下端側が土壌Ａ中に没する深さに正確且つ確実に埋め込むことができる。なお、植物栽培カバー１の内側には、堆肥、肥料等が含まれる土壌Ａを入れる。
【００４２】
植物栽培カバー１を土壌Ａに埋め込み固定する作業が完了した際に、図６に示すように、植物Ｂを、植物栽培カバー１の上端側開口部２ｂから挿入して、植物栽培カバー１で囲繞された土壌Ａの中心に植える。この後、植物栽培カバー１の内側及び外側の土壌Ａに給水する。つまり、土壌Ａに植えられた植物Ｂの周囲を植物栽培カバー１で囲繞し保護するので、風雨、冷害、害虫その他から植物Ｂを保護し、植物Ｂが生育するのに適した環境を維持することができる。或いは、植物Ｂを、予め植物栽培カバー１で囲繞される土壌Ａの中心に植えておいてもよい。なお、植物栽培カバー１は、キャベツや白菜等の植物Ｂを収穫する時期まで使用する。
【００４３】
また、柔軟性を有する植物栽培カバー１及び防虫カバー９は、吹き付けられる風の強さに応じて変形又は変位しやすく、植物栽培カバー１の外面に吹き付けられた風が後方や側方へ受け流されることになる。これにより、強風が吹きつけられても、土壌Ａに埋め込まれた植物栽培カバー１が吹き飛ばされる心配がなく、土壌Ａに植えられた植物Ｂを風雨から確実に保護することができる。
【００４４】
また、植物栽培カバー１の各抜止め片４…を外側に折り曲げて径方向に突出した後、植物栽培カバー１を、埋め込み線７より下方の各抜止め片４…が土壌Ａ中に没するように埋め込み、外側に突出された各抜止め片４…を土壌Ａ中に食い込ませるので、植物栽培カバー１に対して土壌Ａ中から抜き取られる方向に風や雨等の応力が付与された際に、植物栽培カバー１の抜き取りが阻止される方向に対して各抜止め片４…の抵抗が付与される（図６、図７参照）。これにより、単数の抜止め片４を土壌Ａ中に食い込ませるよりも大きな抵抗が得られ、植物栽培カバー１を土壌Ａに対して確実に埋め込み固定することができるとともに、風や雨等によって植物栽培カバー１が土壌Ａ中から抜き取られるのを防止することができる。
【００４５】
また、植物栽培カバー１の各抜止め片４…を外側に向けて径方向に折り曲げることにより、植物栽培カバー１の内側と外側とを連通する各連通孔８…が開口される。各連通孔８…を介して、植物栽培カバー１の内側と外側との土壌Ａがつながって一体化されるので、各抜止め片４…による抵抗に加えて、各連通孔８…を介して一体化した土壌Ａの抵抗により、植物栽培カバー１が抜けるか、傾倒するのを防止する作用及び効果を高めることができる。
【００４６】
また、防虫カバー９を、土壌Ａに埋め込むまえ又は土壌Ａに埋め込まれた植物栽培カバー１の上端側周面に装着する（図６参照）。つまり、防虫カバー９の外周縁部に縫い付けられたゴム紐９ａの復元力によって、植物栽培カバー１の上端側周面に対して防虫カバー９の外周縁部が密着される。さらに、植物栽培カバー１の各係止片６…を内側から押圧して外側に突出した後、その突出された各係止片６…に、ゴム紐９ａが縫い付けられた防虫カバー９の外周縁部を内側へ折り返して係止するので、各係止片６…の復元力により、防虫カバー９の外周縁部が植物栽培カバー１の上端側周面に押し付けられて挟持される。これにより、植物栽培カバー１で囲繞された植物Ｂの生育に適した通気性が得られるとともに、植物栽培カバー１の内部に害虫が侵入するのを防止することができる。
【００４７】
防虫カバー９を、カバー本体２の上端側周面に装着する際、防虫カバー９の外周縁部をカバー本体２の各係止片６…に係止するだけであるので、防虫カバー９を着脱する作業及び交換する作業が簡単且つ容易に行える。また、防虫カバー９の外周縁部をカバー本体２の各係止片６…から離脱させて係止を解除すれば、防虫カバー９を、カバー本体２の上端側開口部２ｂから簡単且つ容易に取り外すことができる。
【００４８】
また、防虫カバー９に、例えば木酢液を含む天然成分、或いは、化学成分を主成分とする害虫用の忌避剤１０を含浸又は塗布しておいてもよく、害虫による被害を少なくすることができる。
【００４９】
或いは、図８に示すように、植物栽培カバー１の上端側開口部２ｂに装着された防虫カバー９の上面側中央部に忌避剤１０を載せておけば、忌避剤１０の重量によって、防虫カバー９の忌避剤１０が載せられた中央部が植物栽培カバー１の上端側開口部２ｂより内側に落ち込むことになる。これにより、忌避剤１０の忌避成分が植物栽培カバー１の外部へ流出しにくく、忌避剤１０の忌避成分が植物栽培カバー１の内部に長く残留するため、忌避剤１０による害虫の忌避効果が長期間持続される。なお、忌避剤１０の代わりに、例えば防虫剤、殺虫剤等の薬品を用いてもよい。
【００５０】
図９の（ａ）〜（ｄ）は、本発明の特許請求の範囲に含まれる係止片６に代わる他の固定方法を示している。
【００５１】
図９の（ａ）に示すように、カバー本体２の上端側周面と防虫カバー９の外周縁部とを、該防虫カバー９の装着状態を維持するのに必要な粘着力を有する粘着剤１１で部分的に着脱自在に固定してもよい。なお、粘着剤１１は、カバー本体２の上端側周面又は防虫カバー９の外周縁部に沿って円周方向に対して所定間隔に隔てて複数配列されている。
【００５２】
粘着剤１１の粘着力によって防虫カバー９の装着状態を維持するので、カバー本体２の上端側周面又は防虫カバー９の外周縁部に、防虫カバー９の外周縁部をカバー本体２の上端側周面に対して係止するための係止手段を設ける必要がなく、防虫カバー９が装着される植物栽培カバーを安価に製作することができる。また、粘着剤１１の粘着力に抗して、防虫カバー９の外周縁部をカバー本体２の上端側周面から取り外せば、カバー本体２の上端側開口部が開放されるので、植物Ｂの生育具合の確認作業、水分や肥料等の補給作業が簡単且つ容易に行える。また、防虫カバー９を着脱する作業及び交換する作業が容易に行え、防虫カバー９を何回も繰り返し使用することができる。
【００５３】
また、図９の（ｂ）に示すように、カバー本体２の上端側周面と防虫カバー９の外周縁部とを、該防虫カバー９の装着状態を維持するのに必要な粘着力を有する粘着テープ１２で部分的に着脱自在に固定してもよい。粘着テープ１２の粘着力に抗して、防虫カバー９の外周縁部をカバー本体２の上端側周面から簡単に取り外すことができる。これにより、前記実施例と同等の作用及び効果を奏することができる。なお、粘着テープ１２は、防虫カバー９の外周縁部に沿って円周方向に対して所定間隔に隔てて複数配列されている。或いは、カバー本体２の上端側周面と防虫カバー９の外周縁部とを図示しない両面粘着テープで着脱自在に固定してもよい。
【００５４】
また、図９の（ｃ）に示すように、カバー本体２の上端側周面と防虫カバー９の外周縁部とを、該防虫カバー９の装着状態を維持するのに必要な固定力を有する止め金１３で着脱自在に固定してもよい。止め金１３による固定を解除すれば、防虫カバー９をカバー本体２の上端側周面から簡単に取り外すことができる。これにより、前記実施例と同等の作用及び効果を奏することができる。なお、止め金１３は、防虫カバー９の外周縁部に沿って円周方向に対して所定間隔に隔てて複数配列されている。
【００５５】
図９の（ｄ）に示すように、カバー本体２の上端側周面と防虫カバー９の外周縁部とを、該防虫カバー９の装着状態を維持するのに必要な固定力を有するスナップ式の止め部材１４で着脱自在に固定してもよい。止め部材１４による固定を解除すれば、防虫カバー９をカバー本体２の上端側周面から簡単に取り外すことができる。これにより、前記実施例と同等の作用及び効果を奏することができる。なお、止め部材１４は、防虫カバー９の外周縁部に沿って円周方向に対して所定間隔に隔てて複数配列されている。
【００５６】
上記以外の固定方法として、例えばマグネット、面ファスナー、フック等の固定部材で固定してもよい。
【００５７】
図１０の（ａ）〜（ｃ）は、本発明の特許請求の範囲に含まれる係止片６の他の形状を示している。（ａ）に示す楕円形状の係止片６と、（ｂ）に示す四角形状の係止片６と、（ｃ）に示す丸形状の係止片６との中から選択した一つ又は複数の係止片６で防虫カバー９をカバー本体２の上端側周面に固定してもよい。つまり、防虫カバー９の装着状態が維持される形状であれば、上記以外の形状を有する係止片であってもよい。
【００５８】
図１１は、植物栽培カバー１…を上下に複数重ね合わせた例を示している。つまり、植物栽培カバー１…の抜止め片４…を予め外側に折り曲げておき、上側に重ね合わされる植物栽培カバー１の掘削突起３を、下側に重ね合わされる植物栽培カバー１の抜止め片４…に載せる。以下同様にして、２個目、３個目の植物栽培カバー１…を順に重ね合わせる。これにより、植物栽培カバー１…を上下に重ね合せたまま一括して取り扱うので、嵩張らず、運搬及び保管が容易に行える。また、取り扱い時や運搬時において、苗保護カバー１…を重ね合わせてなる一つのカバー群が散乱するか、カバー単体に拡散するのを防止することができる。
【００５９】
この発明の構成と、前記実施例との対応において、  
この発明の被覆カバーは、実施例の防虫カバー９に対応するも、  
この発明は、前記実施例の構成のみに限定されるものではなく、請求項に示される技術思想に基づいて応用することができ、多くの実施の形態を得ることができる。
【００６０】
なお、植物栽培カバー１の外観形状は、例えば三角形、四角形、五角形、六角形、八角形、十六角形などの多角形、或いは楕円形等の形状に形成してもよく、見た目が円形に近いものであればよい。
【００６１】
また、抜止め片４及び係止片６の外観形状は、例えばＵ字形状、半楕円形状、山形状等の所望する形状に形成してもよく、抜止め片４は、植物栽培カバー１の抜き取りが阻止される方向に対して抵抗が付与される形状であればよい。一方、係止片６は、防虫カバー９の外周縁部が植物栽培カバー１の上端側周面に密着され、該防虫カバー９の装着状態が維持される形状であればよい。
【図面の簡単な説明】
【００６２】
【図１】円錐筒状に組み立てられた植物栽培カバーを示す斜視図。
【図２】植物栽培カバーの内部構造を示す縦断側面図。
【図３】防虫カバーの構造を示す底面図及び縦断側面図。
【図４】植物栽培カバーを土壌に埋め込む方法を示す縦断側面図。
【図５】植物栽培カバーによる土壌の掘削方法を示す縦断側面図。
【図６】植物栽培カバーを土壌に埋め込んだ状態を示す縦断側面図。
【図７】植物栽培カバー内の土壌に植物を植えた状態を示す縦断側面図。
【図８】図７の防虫カバーに忌避剤を載せた状態を示す縦断側面図。
【図９】防虫カバーの他の固定方法を示す拡大正面図。
【図１０】係止片の他の形状を示す正面図。
【図１１】植物栽培カバーを上下に重ね合わせた例を示す側面図。
【符号の説明】
【００６３】
Ａ…土壌
Ｂ…植物
Ｃ…軸心
Ｅ…折曲げ罫線
１…植物栽培カバー
２…カバー本体
３…掘削突起
４…抜止め片
６…係止片
７…埋め込み線
８…連通孔
９…防虫カバー
９ａ…ゴム紐
１０…忌避剤
１１…粘着剤
１２…粘着テープ
１３…止め金
１４…止め部材
【図１】
2010004744.tif 000003
【図２】
2010004744.tif 000004
【図３】
2010004744.tif 000005
【図４】
2010004744.tif 000006
【図５】
2010004744.tif 000007
【図６】
2010004744.tif 000008
【図７】
2010004744.tif 000009
【図８】
2010004744.tif 000010
【図９】
2010004744.tif 000011
【図１０】
2010004744.tif 000012
【図１１】
2010004744.tif 000013